(57)【要約】【課題】マットレスがボトム板の左右にずれたり、ボトム板から浮き上がったりすることを防ぐことができる電動ベッドを提供する。【解決手段】マットレス１を載置するボトム板２を複数に分割してベッド本体３の上面に取り付け、少なくとも一部のボトム板２を起倒回動させるようにした電動ベッドに関する。起倒回動される少なくとも一部のボトム板２の両側端部にストッパー部４を上方へ一体に突出して設けると共にストッパー部４の内側面に係止凸部５を設ける。ボトム板２上に載置されるマットレス１を両側端のストッパー部４の間に配置すると共に係止凸部５をマットレス１の両側端に係止させる。マットレス１が左右にずれることをストッパー部４で防ぐことができると共に、マットレス１の側端への係止凸部５の係止でマットレス１がボトム板２から浮き上がることを防ぐことができる。【選択図】図１
2010194065.tif 000002
【特許請求の範囲】
【請求項１】
マットレスを載置するボトム板を複数に分割してベッド本体の上面に取り付け、少なくとも一部のボトム板を起倒回動させるようにした電動ベッドにおいて、少なくとも一部のボトム板の両側端部にストッパー部を上方へ一体に突出して設けると共にストッパー部の内側面に係止凸部を設け、ボトム板上に載置されるマットレスを両側端のストッパー部の間に配置すると共に係止凸部をマットレスの両側端に係止させて成ることを特徴とする電動ベッド。
【請求項２】
ストッパー部に手を差し込むことができる把手用孔を設けて成ることを特徴とする請求項１に記載の電動ベッド。
【請求項３】
ボトム板は、樹脂の中空成形品で形成されたものであることを特徴とする請求項１又は２に記載の電動ベッド。
【請求項４】
少なくとも一部のボトム板の下面に取付金具を設け、電動機によって上下方向に回動駆動される回動アームの上にボトム板を載置すると共に取付金具を回動アームに結合することによって、ボトム板を起倒回動自在にベッド本体に取り付け、回動アームの位置に対応してボトム板の上面に、回動アームの位置合せ用目印を形成して成ることを特徴とする請求項１乃至３のいずれか１項に記載の電動ベッド。
【請求項５】
取付金具の近傍位置においてボトム板の下面に位置決め凸部を突設し、取付金具と位置決め凸部の間に配置した回動アームの上にボトム板を載置して成ることを特徴とする請求項４に記載の電動ベッド。
【発明の詳細な説明】
【技術分野】
【０００１】
本発明は、主として介護用に用いられる電動ベッドに関するものである。
【背景技術】
【０００２】
介護用などに用いられるベッドとして、マットレス１を載置するボトム板２を複数に分割し、ボトム板２を電動で上下に回動させることができるようにした電動ベッドが従来から提供されている。例えばベッドに寝る人の首から背中の部分に対応するボトム板２を上方へ回動させて斜めに立ち上げることによって、ベッドに寝ている人の背中を起こすことができるものである。
【０００３】
図１４は背中のボトム板２を上方へ回動させて立ち上げた状態を示すものであり、ボトム板２は支持部１５に枢支してベッド本体３に上下回動自在に取り付けてあり、電動機を作動させて回動アーム１６を回動駆動し、回動アーム１６でボトム板２を押し上げることによって、ボトム板２を起倒回動させることができるようにしてある（特許文献１参照）。
【０００４】
このようにマットレス１を載置するボトム板２を起倒回動駆動するようにした電動ベッドにおいて、例えば上記のように背中の部分のボトム板２を斜めに立ち上げるように回動させると、マットレス１はこれに伴なって背中の部分が屈曲することになり、この屈曲変形によってマットレス１がボトム板２の上から左右にずれたり、ボトム板２の表面から剥がれて浮き上がったりするおそれがある。
【先行技術文献】
【特許文献】
【０００５】
【特許文献１】特開２００１−２５８９５２号公報
【発明の概要】
【発明が解決しようとする課題】
【０００６】
このため、上記の特許文献１では、マットレス１の背面の角部にストラップ１ａを設け、ストラップ１ａをボトム板２の角部に引っ掛けて係止することによって、マットレス１をボトム板２に固定し、マットレス１が左右にずれたり剥がれたりすることを防止するようにしている。
【０００７】
このようにしてマットレス１がボトム板２の左右にずれたり、ボトム板２から浮き上がったりすることを防ぐことができるが、特許文献１のものではストラップ１ａを設けた特別な仕様のマットレス１を用いる必要があり、総ての種類のマットレス１についてずれや浮き上がりを防ぐことはできないものであった。
【０００８】
本発明は上記の点に鑑みてなされたものであり、特別な仕様のマットレスを用いる必要なく、マットレスがボトム板の左右にずれたり、ボトム板から浮き上がったりすることを防ぐことができる電動ベッドを提供することを目的とするものである。
【課題を解決するための手段】
【０００９】
本発明に係る電動ベッドは、マットレス１を載置するボトム板２を複数に分割してベッド本体３の上面に取り付け、少なくとも一部のボトム板２を起倒回動させるようにした電動ベッドにおいて、起倒回動される少なくとも一部のボトム板２の両側端部にストッパー部４を上方へ一体に突出して設けると共にストッパー部４の内側面に係止凸部５を設け、ボトム板２上に載置されるマットレス１を両側端のストッパー部４の間に配置すると共に係止凸部５をマットレス１の両側端に係止させて成ることを特徴とするものである。
【００１０】
このように、ボトム板２の両側端部にストッパー部４を設けることによって、ボトム板２を起倒回動させる際に、マットレス１が左右にずれることをストッパー部４で防ぐことができると共に、ストッパー部４の係止凸部５がマットレス１の側端に係止していることによって、マットレス１がボトム板２から剥がれて浮き上がることを防ぐことができるものであり、特別な仕様のマットレス１を用いる必要なくマットレス１のずれや浮き上がりを防ぐことができるものである。またストッパー部４はボトム板２に一体に設けてあるので、ボトム板２にストッパー部４を組み付けるような手間が不要になるものである。
【００１１】
また本発明は、上記のストッパー部４に手を差し込むことができる把手用孔６を設けて成ることを特徴とするものである。
【００１２】
把手用孔６に手を差し入れることによって、ストッパー部４を利用して把手として持つことができ、ボトム板２の持ち運びが容易になるものである。
【００１３】
また本発明において、上記のボトム板２は、樹脂の中空成形品で形成されたものであることを特徴とするものである。
【００１４】
このようにボトム板２を樹脂の中空成形品で形成することによって、ボトム板２を軽量に形成することができるものであり、また一体成形でボトム板２にストッパー部４を容易に一体化することができるものである。
【００１５】
また本発明は、少なくとも一部のボトム板２の下面に取付金具７を設け、電動機８によって上下方向に回動駆動される回動アーム９の上にボトム板２を載置すると共に取付金具７を回動アーム９に結合することによって、ボトム板２を起倒回動自在にベッド本体３に取り付け、回動アーム９の位置に対応してボトム板２の上面に、回動アーム９の位置合せ用目印１０を形成して成ることを特徴とするものである。
【００１６】
ベッド本体３の回動アーム９の上にボトム板２を載置して、ボトム板２の下面の取付金具７を回動アーム９に結合する作業を行なうにあたって、ボトム板２の下面の取付金具７は上から見えないが、ボトム板２の上面の位置合せ用目印１０に回動アーム９を位置合せをした状態で回動アーム９の上にボトム板２を載置することによって、回動アーム９に結合させる位置に取付金具７が配置されるようにすることができるものであり、取付金具２を回動アーム９に結合してボトム板２をベッド本体３に取り付ける作業を容易に行なうことができるものである。
【００１７】
また本発明は、取付金具７の近傍位置においてボトム板２の下面に位置決め凸部１１を突設し、取付金具７と位置決め凸部１１の間に配置した回動アーム９の上にボトム板２を載置して成ることを特徴とするものである。
【００１８】
このように、取付金具７とその近傍位置に設けた位置決め凸部１１の間に回動アーム９を配置することによって、取付金具７と結合させる位置に回動アーム９を位置決め凸部１１で位置決めして配置することができるものであり、取付金具７を回動アーム９に結合してボトム板２をベッド本体３に取り付ける作業を容易に行なうことができるものである。
【発明の効果】
【００１９】
本発明によれば、ボトム板２の両側端部にストッパー部４を設けることによって、ボトム板２を起倒回動させる際に、マットレス１が左右にずれることをストッパー部４で防ぐことができると共に、ストッパー部４の係止凸部５がマットレス１の側端に係止していることによって、マットレス１がボトム板２から剥がれて浮き上がることを防ぐことができるものであり、特別な仕様のマットレス１を用いる必要なくマットレス１のずれや浮き上がりを防ぐことができるものである。またストッパー部４はボトム板２に一体に設けてあるので、ボトム板２にストッパー部４を組み付けるような手間が不要になるものである。
【図面の簡単な説明】
【００２０】
【図１】本発明の実施の形態の一例を示す、ボトム板を起した状態の斜視図である。
【図２】同上の、ボトム板を寝かした状態の斜視図である。
【図３】同上の、マットレスを外した状態の斜視図である。
【図４】同上の、マットレスを外した状態の正面図である。
【図５】同上の一部を示すものであり、（ａ）はボトム板のストッパー部の部分の拡大斜視図、（ｂ）はボトム板のストッパー部の部分とマットレスの拡大断面図である。
【図６】同上の、土台フレームの斜視図である。
【図７】同上の、昇降フレームの分解斜視図である。
【図８】同上の一部を示すものであり、（ａ）は背ボトム板回動軸の回動アームの拡大斜視図、（ｂ）は腿ボトム板回動軸の回動アームの拡大斜視図である。
【図９】同上の一部を示すものであり、（ａ）は背ボトム板の下面側を示す斜視図、（ｂ）は取付金具の拡大斜視図である。
【図１０】同上の一部を示すものであり、（ａ）は腿ボトム板の下面側を示す斜視図、（ｂ）は取付金具の拡大斜視図である。
【図１１】同上の一部を示すものであり、（ａ）は背ボトム板の平面図、（ｂ）は腿ボトム板と足ボトム板の平面図である。
【図１２】同上の一部を示すものであり、（ａ）（ｂ）は結合ピンとスナップピンの斜視図である。
【図１３】同上の一部を示すものであり、取付金具と回動アームの結合状態の断面図である。
【図１４】従来例を示す一部の斜視図である。
【発明を実施するための形態】
【００２１】
以下、本発明の実施の形態を説明する。
【００２２】
ベッド本体３は土台フレーム４０と、土台フレーム４０の上に配置される昇降フレーム４１を備えて形成されるものであり、昇降フレーム４１の上にボトム板２が取り付けてある。
【００２３】
土台フレーム４０は図６に示すように、両端に設置脚４２を設けた一対の側枠材４３と、側枠材４３間に架設した一対の連結枠材４４から形成されるものであり、各連結枠材４４上に一対のアーム支持体４５が突設してある。この各アーム支持体４５にはそれぞれ昇降アーム４６の一端が上下回動自在に枢支してあり、それぞれの連結枠材４４に枢支した一対の昇降アーム４６の他端間に昇降ロッド４７が取り付けてある。昇降ロッド４７と昇降アーム４６とは固定されているものであり、昇降ロッド４７の両端にはコロ４８が回転自在に取り付けてある。また昇降ロッド４７にはそれぞれ連結アーム４９が突設してあり、連結ロッド５０の両端をこの各連結アーム４９の先端に上下回動自在に枢着することによって、一対の昇降ロッド４７と連結ロッド５０を連結するようにしてある。
【００２４】
昇降フレーム４１は図７に示すように、連結枠材５２で連結された一対の側枠材５３と、側枠材５３の両端にそれぞれ取り付けられる端部枠材５４，５５から形成されるものである。一対の側枠材５３には両端部にそれぞれ昇降脚５６が下方へ突出して設けてあり、昇降脚５６の下端の半円形凹部５７を上記の土台フレーム４０の昇降ロッド４７の両端のコロ４８の上に載置することによって、土台フレーム４０の上に昇降フレーム４１を取り付けるようにしてある。
【００２５】
また昇降フレーム４１の側枠材５３間には、回動アーム９を設けたボトム板回動軸６０が取り付けてあり、このボトム板回動軸６０は背ボトム板回動軸６０ａと腿ボトム板回動軸６０ｂからなるものである。背ボトム板回動軸６０ａは軸６１ａで側枠材５３に枢支連結して、軸６１ａを中心に上下回動自在にしてあり、腿ボトム板回動軸６０ｂは軸６１ｂで側枠材５３に枢支連結して、軸６１ｂを中心に上下回動自在にしてある。
【００２６】
背ボトム板回動軸６０ａの回動アーム９ａは、図８（ａ）に示すように基端が背ボトム板回動軸６０ａに固定してあり、その両側縁に側片６２を垂下して断面形状を下向き開口コ字形に形成してある。そして一方の側片６２の外面に前後一対の係止ピン２８を突設してあり、両方の側片６２に対向する位置で結合孔２９が穿設してある。また腿ボトム板回動軸６０ｂの回動アーム９ｂは、図８（ｂ）に示すように基端が腿ボトム板回動軸６０ｂに固定してあり、その両側縁に側片６２を垂下して断面形状を下向き開口コ字形に形成してある。そして一方の側片６２の外面に前後一対の係止ピン２８を突設してあり、両方の側片６２に対向する位置で結合孔２９が穿設してある。
【００２７】
上記の昇降フレーム４１には、連結枠材５２で支持して電動機６５が取り付けてあり、この電動機６５には、電動機６５の回転運動を直進運動に変換して前進後退作動するアクチュエータ６６が設けてある。このアクチュエータ６６の先端は、上記の土台フレーム４０の連結ロッド５０に設けた連結受け具６７に回動自在に枢支連結してある。そして電動機６５を駆動してアクチュエータ６６を前進作動させると、連結受け具６７が図６のａ矢印のように押され、昇降アーム４６がｂ矢印のように上方へ回動すると共に昇降ロッド４７がｃ矢印のように上昇する。このように昇降ロッド４７が上昇することによって、昇降ロッド４７のコロ４８の上に載っている昇降フレーム４１が上昇し、ベッドの高さを高くすることができるものである。このように昇降アーム４６を上方へ回動させてベッドを高くしている状態を図４に鎖線で示す。また電動機６５を逆転させてアクチュエータ６６を後退させることによって、上記と逆の動きで昇降フレーム４１を下降させ、ベッドを低くした状態にすることができるものである。
【００２８】
昇降フレーム４１にはさらに、側枠材５３で支持して電動機８ａ及び電動機８ｂが取り付けてある。電動機８ａには、電動機８ａの回転運動を直進運動に変換して前進後退作動するアクチュエータ７１が設けてあり、このアクチュエータ７１はリンク機構を介して背ボトム板回動軸６０ａに連結してある。また電動機８ｂには、電動機８ｂの回転運動を直進運動に変換して前進後退作動するアクチュエータ７２が設けてあり、このアクチュエータ７２はリンク機構を介して腿ボトム板回動軸６０ｂに連結してある。そして電動機８ａを駆動してアクチュエータ７１を前進作動させると、背ボトム板回動軸６０ａが図７のｄ矢印のように回動され、この背ボトム板回動軸６０ａの回動に伴なって回動アーム９ａはｅ矢印のように上方へ回動駆動されるようになっている。この電動機８ａを逆転してアクチュエータ７１を後退作動させると、上記と逆の動きで回動アーム９ａは下方へ回動する。また電動機８ｂを駆動してアクチュエータ７２を前進作動させると、腿ボトム板回動軸６０ｂが図７のｆ矢印のように回動され、この腿ボトム板回動軸６０ｂの回動に伴なって回動アーム９ｂはｇ矢印のように上方へ回動駆動されるようになっている。この電動機８ｂを逆転してアクチュエータ７２を後退作動させると、上記と逆の動きで回動アーム９ｂは下方へ回動する。
【００２９】
次にボトム板２について説明する。ボトム板２は図３に示すように、ベッドに寝る人の身体のうち、主として頭部と背中の部分に対応する背ボトム板２ａと、主として腰部に対応する腰ボトム板２ｂと、主として大腿部に対応する腿ボトム板２ｃと、主として臑部と足に対応する足ボトム板２ｄの、４部材に分割してある。各ボトム板２には上下に開口する通気用の開口部２０が複数個所において設けてある。この４つのボトム板２のうち、腿ボトム板２ｃと足ボトム板２ｄは蝶番２１によって折畳み回動自在に連結してある。
【００３０】
これらの各ボトム板２は、合成樹脂材をブロー成形など中空成形することによって、中空の矩形板状に形成してある（図５（ｂ）参照）。図１４の従来例では、金属パイプ材などの金属材料でボトム板２が形成されているために重量が重いが、このように樹脂の中空成形品でボトム板２を形成することによって、ボトム板２を軽量に形成することができるものである。
【００３１】
各ボトム板２は背ボトム板２ａ、腰ボトム板２ｂ、腿ボトム板２ｃ、足ボトム板２ｄの順に一列に配置されるが、図３に示すように、両端部に位置する背ボトム板２ａと足ボトム板２ｄにそれぞれストッパー部４が設けてある。ストッパー部４は背ボトム板２ａや足ボトム板２ｄの幅方向の両側端にそれぞれ設けられるものであり、ボトム板２ａ，２ｄの上面より上方へ突出するように形成してある。また各ストッパー部４の内側面には、図５（ａ）に示すように、その上端縁に沿って係止凸部５がボトム板２ａ，２ｄの内方へ向けて突設してある。図の実施の形態では係止凸部５はボトム板２ａ，２ｄの上面と平行に長い線条突起として形成してあるが、これに限られるものではなく、複数の凸部が一列に並ぶ形態に係止凸部５を形成するようにしてもよい。また図の実施の形態では係止凸部５は上下方向の一箇所にのみ設けるようにしているが、係止凸部５を上下複数個所に設けるようにしてもよい。
【００３２】
また、上記のストッパー部４には、内外両面に開口する把手用孔６が設けてある。この把手用孔６はボトム板２ａ，２ｄの側端部にも及ぶ範囲で形成してあり、ストッパー部４の内外両面及びボトム板２ａ，２ｄの上下両面に開口するようにしてある。このように把手用孔６を設けることによって、ストッパー部４はボトム板２ａ，２ｄからアーチ状に突出する形態となり、把手用孔６に手の指を差し込んでストッパー部４を把手として掴むことができるものである。
【００３３】
ここで、電動ベッドは主として介護用に用いられるものであり、介護に必要な期間のみ使用されることが多いので、レンタル業者から家庭などにレンタルして使用されるのが一般的である。このようにレンタルされる電動ベッドは、分解した状態で運搬し、運搬先で組み立てることが多いので、ボトム板２を持ち運びする必要のあることが多い。そしてこのようにボトム板２を持ち運びする際に、把手用孔６に手を差し込んでストッパー部４を把手として掴むことによって、ボトム板２の持ち運びの作業が容易になるものである。特にボトム板２のうち背ボトム板２ａや、腿ボトム板２ｃが蝶番２１で結合された足ボトム板２ｄは寸法が大きいので持ちにくいが、ストッパー部４を把手として掴むことによって容易に持つことができるようになるものである。
【００３４】
上記のボトム板２のうち、背ボトム板２ａと腿ボトム板２ｃの下面には、それぞれ取付金具７が取り付けてある。背ボトム板２ａの下面には、図９（ｂ）に示す取付金具７ａを、図９（ａ）のようにボルト２３止めで固定してある。また腿ボトム板２ｃの下面には、図１０（ｂ）に示す取付金具７ｂを、図１０（ａ）のようにボルト２３止めで固定してある。取付金具７ａ，７ｂの一側縁には結合片２４が垂下して設けてあり、取付金具７ａ，７ｂの各結合片２４には２箇所の係止凹部２５と１箇所の結合孔２６が形成してある。背ボトム板２ａの取付金具７ａに設けられる係止凹部２５は、ベッドの後方（ベッドに寝る人の頭側を前、足側を後とする）へ開口するように形成してあり、また腿ボトム板２ｃの取付金具７ｂに設けられる係止凹部２５は、前方へ開口するように形成してある。
【００３５】
また、背ボトム板２ａや腿ボトム板２ｃの上面には位置合せ用目印１０が設けてある。背ボトム板２ａの位置合せ用目印１０ａは図１１（ａ）に示すように、背ボトム板２ａの後側の端部において、背ボトム板２ａの下面に取り付けた取付金具７ａの結合片２４の真上の位置に、結合片２４と平行な細い凹んだ線として形成してある。腿ボトム板２ｃの位置合せ用目印１０ｂは図１１（ｂ）に示すように、腿ボトム板２ｃの前側の端部において、腿ボトム板２ｃの下面に取り付けた取付金具７ｂの結合片２４の真上の位置に、結合片２４と平行な細い凹んだ線として形成してある。
【００３６】
さらに背ボトム板２ａや腿ボトム板２ｃの下面には、取付金具７の近傍位置において位置決め凸部１１が突設してある。背ボトム板２ａの位置決め凸部１１ａは図９（ａ）に示すように、背ボトム板２ａに取り付けた取付金具７ａの結合片２４に対向する位置において、結合片２４から背ボトム板２ａの幅方向で回動アーム９ａの幅寸法を隔てた位置に設けてある。腿ボトム板２ｃの位置決め凸部１１ｂは図１０（ａ）に示すように、腿ボトム板２ｃに取り付けた取付金具７ｂの結合片２４に対向する位置において、結合片２４から腿ボトム板２ｃの幅方向へ回動アーム９ｂの幅寸法を隔てた位置に設けてある。
【００３７】
そしてベッド本体３の昇降フレーム４１へのボトム板２の取り付けは、背ボトム板２ａについては、背ボトム板２ａの下面の取付金具７ａを背ボトム板回動軸６０ａの回動アーム９ａに結合することによって、腿ボトム板２ｃ及び足ボトム板２ｄについては、腿ボトム板２ｃの下面の取付金具７ｂを腿ボトム板回動軸６０ｂの回動アーム９ｂに結合することによって、行なうことができる。
【００３８】
背ボトム板２ａの取り付けについて説明する。まず回動アーム９ａを水平状態にしておき、回動アーム９ａの上に背ボトム板２ａを載置する。このとき、背ボトム板２ａの下面に取り付けた取付金具７ａが回動アーム９ａに隣接するように位置合わせをして、回動アーム９ａの上に背ボトム板２ａを載置する必要があるが、取付金具７ａは背ボトム板２ａの下側にあって上方からの目視で位置を確認することができないので、回動アーム９ａに対して取付金具７ａを位置合せすることは困難である。
【００３９】
そこで上記のように、背ボトム板２ａの上面の後側端部に、取付金具７ａの結合片２４に対応する位置において位置合せ用目印１０ａが設けてある。すなわち、図１１（ａ）のように、この位置合せ用目印１０ａが回動アーム９ａの係止ピン２８や結合孔２９を設けた側片６２に一致するように、上方から目視確認しながら位置合せをして回動アーム９ａの上に背ボトム板２ａを載置すると、取付金具７ａの結合片２４が回動アーム９ａのこの側片６２に隣接するように位置合せされることになり、取付金具７ａを直接見なくても容易に取付金具７ａと回動アーム９ａの位置合せを行なうことができるものである。
【００４０】
しかも上記のように、背ボトム板２ａの下面には取付金具７ａの結合片２４から回動アーム９ａの幅寸法を隔てた位置に位置決め凸部１１ａが突設してあるので、位置合せ用目印１０ａを回動アーム９ａに合わせて背ボトム板２ａを載置すると、回動アーム９ａは取付金具７ａと位置決め凸部１１ａの間に嵌まり込むことになり、回動アーム９ａに対する背ボトム板２ａの位置決めをすることができるものである。
【００４１】
従って、この状態で背ボトム板２ａを後方へスライドさせると、回動アーム９ａの両側面に沿って取付金具７ａと位置決め凸部１１がガイドされながらスライド移動する。このとき、取付金具７ａはその結合片２４が回動アーム９ａの側片６２に密接した状態でスライド移動するので、取付金具７ａの結合片２４の係止凹部２５に、回動アーム９ａの側片６２から突出する係止ピン２８が差し込み係止される。そしてこのように係止凹部２５に係止ピン２８が差し込み係止される位置で、回動アーム９ａの結合孔２９と取付金具７ａの結合孔２６が合致するようになっており、回動アーム９ａの結合孔２９から取付金具７ａの結合孔２６に挿し通した結合ピン３１で、回動アーム９ａに取付金具７ａを固定することができるものである。すなわち図１２に示すように、結合ピン３１の一端に頭部３１ａが突設してあり、他端部には直径方向に貫通するピン孔３１ｂが穿設してある。そして図１３に示すように、結合ピン３１を回動アーム９ａの結合孔２９から取付金具７ａの結合孔２６に挿し通し、頭部３１ｂを回動アーム９ａの外面に係止させた状態で、結合孔２６から突出する結合ピン３１の先端部に露出するピン孔３１ｂにスナップピン３２を差し込み、スナップピン３２を取付金具７ａの外面に係止させて結合ピン３１の抜け止めとすることによって、結合ピン３１で回動アーム９ａに取付金具７ａを固定することができるものである。
【００４２】
上記のように、回動アーム９ａに取付金具７ａを結合して回動アーム９ａの上に背ボトム板２ａを取り付けることによって、背ボトム板回動軸６０ａを介してベッド本体３の昇降フレーム４１の上に背ボトム板２ａを装着することができるものである。腿ボトム板２ｃと足ボトム板２ｄについても、上記と同様にして、回動アーム９ｂに取付金具７ｂを結合して回動アーム９ｂの上に腿ボトム板２ｃを取り付けることによって、腿ボトム板回動軸６０ｂを介してベッド本体３の昇降フレーム４１の上に装着することができるものである。またボトム板２のうち、腰ボトム板２ｂは昇降フレーム３５の上に固定して取り付けられるものである。
【００４３】
マットレス１は、図２に示すように、背ボトム板２ａ、腰ボトム板２ｂ、腿ボトム板２ｃ、足ボトム板２ｄの順に配置される各ボトム板２上に亘って載置されるものであり、このマットレス１の上に布団を敷いて、その上に寝ることができるものである。このようにボトム板２の上にマットレス１を敷くにあたって、マットレス１は背ボトム板２ａや足ボトム板２ｄの両側端に設けたストッパー部４の間に配置されるようになっている。このとき、背ボトム板２ａの両側端に設けたストッパー部４の対向間隔寸法や、足ボトム板２ｄの両側端に設けたストッパー部４の対向間隔寸法は、マットレス１の幅寸法とほぼ等しく形成してあり、またストッパー部４の高さはマットレス１の厚みより小さく形成してある。このため、マットレス１の側端面はストッパー部４の内側面に密接し、またストッパー部４に設けた係止凸部５が図５（ｂ）のようにマットレス１の側端面に食い込んで係止されるようになっている。
【００４４】
そして上記したように、電動機８ａを作動させて背ボトム板回動軸６０ａを回動駆動し、回動アーム９ａを図７のｅ矢印のように回動させると、この回動アーム９ａに取り付けられた背ボトム板２ａも上方へ回動され、図４に鎖線で示すように斜めに立ち上げられる。このように背ボトム板２ａが斜めに立ち上げられると、マットレス１も図１のように斜めに立ち上がり、ベッドの上に寝る人の上半身を持ち上げて起し、ベッドの上でもたれ座りをした姿勢にすることができるものである。
【００４５】
また上記したように、電動機８ｂを作動させて腿ボトム板回動軸６０ｂを回動駆動し、回動アーム９ｂを図７のｇ矢印のように回動させると、この回動アーム９ｂに取り付けられた腿ボトム板２ｃも上方へ回動される。このように腿ボトム板２ｃを上方へ回動させて斜めに立ち上げると、腿ボトム板２ｃと蝶番２１で回動自在に連結されている足ボトム板２ｄは腿ボトム板２ｃと逆向きの斜めに立ち上がることになって、図４に鎖線で示すように腿ボトム板２ｃと足ボトム板２ｄは逆Ｖ字形に折畳み屈曲される。腿ボトム板２ｃと足ボトム板２ｄが逆Ｖ字形に屈曲されると、マットレス１も図１のように逆Ｖ字形に屈曲され、ベッドに寝る人の腿と臑を曲げた、つまり脚を曲げた状態にすることができ、楽な姿勢でもたれ座りをすることができるものである。
【００４６】
このようにボトム板２を回動させて、背ボトム板２ａを斜め上方へ立ち上げたり、腿ボトム板２ｃと足ボトム板２ｄを逆Ｖ字形に立ち上げたりすると、このボトム板２の回動に伴なってマットレスは図１のように屈曲されることになり、この屈曲変形によってマットレス１がボトム板２の上から左右にずれたり、ボトム板２の表面から浮き上がったりするおそれがあるが、上記のように、マットレス１の左右両側端面の外側に、背ボトム板２ａや足ボトム板２ｄの両側端に設けたストッパー部４が配置されているので、マットレス１がボトム板２の上から左右にずれることをストッパー部４で規制して防ぐことができるものである。しかも各ストッパー部４の内側面の係止凸部５がマットレス１の側端面に食い込んで係止されているので、マットレス１がボトム板２の表面から剥がれて浮き上がることを防ぐことができるものである。
【００４７】
上記のように本発明ではボトム板２に設けたストッパー部４によってマットレス１のずれや浮き上がりを防ぐようにしているが、ボトム板２は上記のように樹脂の中空成形品で形成してあるので、ボトム板２をブロー成形などで中空に成形する際に同時にストッパー部４を成形して、ボトム板２にストッパー部４を一体に形成することができるものである。従って、ボトム板２とストッパー部４が別部材である場合のような、部品点数が増加したり、組み立ての手間が必要になったりすることがなくなるものである。またこのようにストッパー部４がボトム板２と一体であるので、上記のようにストッパー部４を把手として利用することが可能になるものである。
【符号の説明】
【００４８】
１  マットレス
２  ボトム板
３  ベッド本体
４  ストッパー部
５  係止凸部
６  把手用孔
７  取付金具
８  電動機
９  回動アーム
１０  位置合せ用目印
１１  位置決め凸部
【図１】
2010194065.tif 000003
【図２】
2010194065.tif 000004
【図３】
2010194065.tif 000005
【図４】
2010194065.tif 000006
【図５】
2010194065.tif 000007
【図６】
2010194065.tif 000008
【図７】
2010194065.tif 000009
【図８】
2010194065.tif 000010
【図９】
2010194065.tif 000011
【図１０】
2010194065.tif 000012
【図１１】
2010194065.tif 000013
【図１２】
2010194065.tif 000014
【図１３】
2010194065.tif 000015
【図１４】
2010194065.tif 000016